【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
撮像システムを用いて、第１のエネルギー範囲に対応する少なくとも第１のスペクトル投影データと、第２のエネルギー範囲に対応する第２のスペクトル投影データとを含む、対象者のスペクトル投影データを生成するステップであって、前記第１のエネルギー範囲と前記第２のエネルギー範囲とが異なる、生成するステップと、
前記スペクトル投影データの組合せから画像を構築するステップと、
これらスペクトル投影データから、これらエネルギー範囲に対する基礎画像のセットを構築するステップと、
前記基礎画像のセットから多次元ヒストグラムを構築するステップであって、前記多次元ヒストグラムが少なくとも２つの軸を含み、第１の軸が第１の基礎構成要素に対応し、第２の軸が第２の基礎構成要素に対応し、前記多次元ヒストグラムが、前記スペクトル投影データ中で表される各材料について１つのクラスタを含む、クラスタのセットを含む、構築するステップと、
前記画像と前記多次元ヒストグラムとを同時に視覚的に提示するステップと
を有する、方法。
【請求項２】
前記多次元ヒストグラム中のクラスタのための関心領域を識別する入力を受信するステップと、
前記多次元ヒストグラム中の識別された前記関心領域中の材料に対応する、前記画像のピクセル又はボクセルのグループを強調表示するために、表示された前記画像を更新するステップと
をさらに有する、請求項１に記載の方法。
【請求項３】
前記画像中の関心領域を識別する入力を受信するステップと、
前記画像中の識別された前記関心領域中の材料に対応する、前記クラスタのセットのうちのクラスタを強調表示するために、表示された前記多次元ヒストグラムを更新するステップと
をさらに有する、請求項１又は２に記載の方法。
【請求項４】
スペクトルＣＴフィンガープリントモジュールを含む、命令を記憶するメモリと、
少なくとも前記スペクトルＣＴフィンガープリントモジュールに対応する命令を実行するプロセッサとを備え、前記命令は、前記プロセッサに、
第１のエネルギー範囲に対応する少なくとも第１のスペクトル投影データと、第２のエネルギー範囲に対応する第２のスペクトル投影データとを含む、対象者のスペクトル投影データを生成することであって、前記第１のエネルギー範囲と前記第２のエネルギー範囲とが異なる、生成することと、
前記スペクトル投影データの組合せから画像を構築することと、
これらスペクトル投影データから、これらエネルギー範囲に対する基礎画像のセットを構築することと、
前記基礎画像のセットから多次元ヒストグラムを構築することであって、前記多次元ヒストグラムが少なくとも２つの軸を含み、第１の軸が第１の基礎構成要素に対応し、第２の軸が第２の基礎構成要素に対応し、前記多次元ヒストグラムが、前記スペクトル投影データ中で表される各材料について１つのクラスタを含む、クラスタのセットを含む、構築することと、
前記画像と前記多次元ヒストグラムとを同時に視覚的に提示することと
を行わせる、システム。
【請求項５】
前記プロセッサが、前記多次元ヒストグラム中のクラスタのための関心領域を識別する入力を受信し、前記多次元ヒストグラム中の識別された前記関心領域中の材料に対応する、前記画像のピクセル又はボクセルのグループを強調表示するために、表示された前記画像を更新する、請求項４に記載のシステム。
【請求項６】
前記プロセッサが、前記画像中の関心領域を識別する入力を受信し、前記画像中の識別された前記関心領域中の材料に対応する、前記クラスタのセットのうちのクラスタを強調表示するために、表示された前記多次元ヒストグラムを更新する、請求項４又は５に記載のシステム。
【請求項７】
前記プロセッサが、強調表示された前記多次元ヒストグラムを、異なる材料のための多次元ヒストグラムのライブラリと比較し、強調表示された前記クラスタを、前記ライブラリからの多次元ヒストグラム中のクラスタと一致させ、一致された前記クラスタに対応する前記多次元ヒストグラムに基づいて、前記材料のタイプを識別する、請求項６に記載のシステム。
【請求項８】
前記プロセッサが、前記材料のタイプに対する材料分解を作成し、前記材料分解を使用して前記材料のタイプのスペクトル画像を構築する、請求項７に記載のシステム。
【請求項９】
前記プロセッサは、表示された前記多次元ヒストグラムを、知られている正常組織のための多次元ヒストグラムと比較し、表示された前記多次元ヒストグラム中のクラスタが、前記知られている正常組織のための前記多次元ヒストグラム中に不在であることに応答して、表示された前記多次元ヒストグラム中の異常の存在を識別する、請求項４から８のいずれか一項に記載のシステム。
【請求項１０】
前記プロセッサが、表示された前記多次元ヒストグラムを、知られている異常組織のための多次元ヒストグラムと比較し、前記クラスタを、前記知られている異常組織に対応する前記多次元ヒストグラムのクラスタに一致させることによって、前記知られている異常組織の存在を識別する、請求項９に記載のシステム。
【請求項１１】
前記プロセッサが、表示された前記多次元ヒストグラムを、知られている異常組織のための多次元ヒストグラムと比較し、表示された前記多次元ヒストグラム中のクラスタが、前記知られている正常組織のための前記多次元ヒストグラム中に不在であることに応答して、表示された前記多次元ヒストグラム中の前記知られている異常組織の存在を識別する、請求項４から８のいずれか一項に記載のシステム。
【請求項１２】
前記プロセッサが、表示された前記多次元ヒストグラムを、知られている正常組織のための多次元ヒストグラムと比較し、前記知られている正常組織のための前記多次元ヒストグラムにない、表示された前記多次元ヒストグラム中のクラスタを識別する、請求項４から８のいずれか一項に記載のシステム。
【請求項１３】
前記プロセッサが、表示された前記多次元ヒストグラムを、複数の材料のための多次元ヒストグラムのライブラリと比較し、前記クラスタを、多次元ヒストグラムの前記ライブラリからの前記ヒストグラムのうちの１つのヒストグラム中のクラスタに一致させることによって、当該クラスタによって表される材料のタイプを識別する、請求項４に記載のシステム。
【請求項１４】
クラスタは、知られている材料に対応するものであり、前記プロセッサが、前記クラスタを、前記知られている材料を表すとしてラベリングし、表示された前記多次元ヒストグラムをライブラリに保存する、請求項１２に記載のシステム。
【請求項１５】
コンピュータ実行可能命令で符号化されたコンピュータ可読媒体であって、前記コンピュータ実行可能命令は、コンピュータのプロセッサによって実行されたとき、前記プロセッサに、
第１のエネルギー範囲に対応する少なくとも第１のスペクトル投影データと、第２のエネルギー範囲に対応する第２のスペクトル投影データとを含む、対象者のスペクトル投影データを生成することであって、前記第１のエネルギー範囲と前記第２のエネルギー範囲とが異なる、生成することと、
前記スペクトル投影データの組合せから画像を構築することと、
これらスペクトル投影データから、これらエネルギー範囲に対する基礎画像のセットを構築することと、
前記基礎画像のセットから多次元ヒストグラムを構築することであって、前記多次元ヒストグラムが少なくとも２つの軸を含み、第１の軸が第１の基礎構成要素に対応し、第２の軸が第２の基礎構成要素に対応し、前記多次元ヒストグラムが、前記スペクトル投影データ中で表される各材料について１つのクラスタを含む、クラスタのセットを含む、構築することと、
前記画像と前記多次元ヒストグラムとを同時に視覚的に提示することと
を行わせる、コンピュータ可読媒体。